(57)【要約】  既設家具の本体や引出しに取り付けて使用するのに好適なソフトクローズ機構及びプッシュオープン機構を組み込んだ機構ユニットを提供することを目的とする。  鉤状の第２揺動部材（４）が揺動する二つの位置を切替手段（Ｓ）により交互に切り替え、駆動ピン（Ｋ）が第２揺動部材（４）の被駆動面（４Ｆ）を押圧することにより、ソフトクローズ機構（Ａ）又はプッシュオープン機構（Ｂ）が作動し、ソフトクローズ機構（Ａ）を作動させる際には、第２揺動部材（４）の揺動にシーソー状の第１揺動部材（３）の揺動を連動させるようにして、シーソー状の第１揺動部材（３）の掛止体（３Ｂ）を掛止溝（１４Ａ）から外すように構成しているため、比較的簡素かつコンパクトな構成によりソフトクローズ機構（Ａ）及びプッシュオープン機構（Ｂ）を組み込んだ機構ユニット（１）を実現することができる。【選択図】図４
2013073489.tif 000002
【特許請求の範囲】
【請求項１】
家具の本体及び引出しの一方に取り付けられ、前記本体及び引出しの他方に取り付けられた駆動ピンにより操作されてソフトクローズ機構又はプッシュオープン機構が作動する、ソフトクローズ機構及びプッシュオープン機構を組み込んだ機構ユニットであって、
前記引出しの移動方向に長い基体と、
前記基体により前記引出しの移動方向にスライド可能に支持されたスライダーと、
前記引出しを開けた状態で、前記スライダーの前記駆動ピンに近い側に位置する、前記スライダーに設けられた、前記引出しの移動方向に直交する第１水平支軸により長手方向の中間部が支持され、前記駆動ピンに近い側の遊端部に第１被駆動面が形成されるとともに前記駆動ピンから遠い側の遊端部に第２被駆動面が形成され、前記第１水平支軸と前記第１被駆動面との間に横設された掛止体が前記基体に形成された前記引出しの移動方向に長いガイド部にガイドされるとともに、前記掛止体は前記ガイド部の端部から屈曲する掛止部まで移動することができる、前記引出しの移動方向に長いシーソー状の第１揺動部材と、
前記引出しを開けた状態で、前記第１水平支軸よりも前記駆動ピンから離れて位置する、前記スライダーに設けられた、前記引出しの移動方向に直交する第２水平支軸により鉤状の中間部が支持され、前記ソフトクローズ機構を作動させる際及び前記プッシュオープン機構を作動させる際に前記駆動ピンが押圧される被駆動面、前記ソフトクローズ機構が作動した状態で前記駆動ピンが係合する鉤状係合部、並びに、前記ソフトクローズ機構を作動させる際に前記第１揺動部材の第２被駆動面を押圧する駆動面が形成された、鉤状の第２揺動部材と、
前記スライダーに対し、前記ソフトクローズ機構を作動させる際に前記駆動ピンを引き込む方向へ復元力を作用させる第１弾性部材と、
前記第１弾性部材により付勢された前記スライダーの運動エネルギーを散逸させて前記スライダーを制動するダンパーと、
前記第２揺動部材に対し、前記プッシュオープン機構を作動させる際に前記駆動ピンを押し出す方向へ復元力を作用させる、前記第１弾性部材よりも復元力が小さい第２弾性部材と、
前記第２弾性部材の弾性変形量が大きい前記第２揺動部材の第１揺動位置と前記第２弾性部材の弾性変形量が小さい前記第２揺動部材の第２揺動位置とを交互に切り替えて保持する切替手段とを備えたことを特徴とするソフトクローズ機構及びプッシュオープン機構を組み込んだ機構ユニット。
【請求項２】
前記切替手段が、前記第２揺動部材の鉤状先端部と異なる端部に前記引出しの移動方向に直交する水平軸まわりに揺動可能に連結されて前記第２弾性部材と反対方向に延びる掛止具と、前記掛止具の遊端部をガイドして一方向に周回させる、前記スライダーに形成されたガイド溝とからなり、前記ガイド溝の周回経路の途中に、前記掛止具の遊端部を掛止する、前記第１揺動位置に対応する第１掛止部及び前記第２揺動位置に対応する第２掛止部を設けてなる請求項１記載のソフトクローズ機構及びプッシュオープン機構を組み込んだ機構ユニット。
【請求項３】
家具の本体及び引出しの一方に取り付けられ、前記本体及び引出しの他方に取り付けられた駆動ピンにより操作されてソフトクローズ機構又はプッシュオープン機構が作動する、ソフトクローズ機構及びプッシュオープン機構を組み込んだ機構ユニットであって、
前記引出しの移動方向に長い基体と、
前記基体により前記引出しの移動方向にスライド可能に支持された第１スライダーと、
前記引出しを開けた状態で、前記第１スライダーの前記駆動ピンに近い側に位置する、前記第１スライダーに設けられた、前記引出しの移動方向に直交する第１水平支軸により長手方向の中間部が支持され、前記駆動ピンに近い側の遊端部に被駆動面が形成されるとともに前記駆動ピンから遠い側の遊端部に回動連結部が形成され、前記第１水平支軸と前記被駆動面との間に横設された第１掛止体が前記基体に形成された前記引出しの移動方向に長いガイド部にガイドされるとともに、前記第１掛止体は前記ガイド部の端部から屈曲する掛止部まで移動することができる、前記引出しの移動方向に長いシーソー状の第１揺動部材と、
前記引出しを開けた状態で、前記第１水平支軸よりも前記駆動ピンから離れて位置する、前記第１スライダーに設けられた、前記引出しの移動方向に直交する第２水平支軸により鉤状の中間部が支持され、前記ソフトクローズ機構を作動させる際及び前記プッシュオープン機構を作動させる際に前記駆動ピンが押圧される被駆動面、並びに、前記ソフトクローズ機構が作動した状態で前記駆動ピンが係合する鉤状係合部が形成された、鉤状の第２揺動部材と、
前記第１水平支軸及び前記第２水平支軸の間に位置する、前記第１スライダーに設けられた、前記引出しの移動方向に直交する第３水平支軸により長手方向の中間部が支持され、前記第１揺動部材の回動連結部に連結される回動連結部が一端部に、前記ソフトクローズ機構を作動させる際に前記第２揺動部材の駆動面により駆動される被駆動面が他端部に形成された、前記引出しの移動方向に長いシーソー状の連結部材と、
前記第１スライダーにより前記引出しの移動方向にスライド可能に支持され、前記第２揺動部材の鉤状先端部と異なる端部に横設された第２掛止体をガイドする、前記引出しの移動方向に長いガイド部が形成され、前記ガイド部の端部から屈曲して前記第２掛止体を掛止する掛止部が形成されるとともに、前記プッシュオープン機構が作動した状態で前記駆動ピンを押圧する押圧面が形成された第２スライダーと、
前記第１スライダーに対し、前記ソフトクローズ機構を作動させる際に前記駆動ピンを引き込む方向へ復元力を作用させる第１弾性部材と、
前記第１弾性部材により付勢された前記第１スライダーの運動エネルギーを散逸させて前記第１スライダーを制動するダンパーと、
前記第２スライダーを経由して前記第２揺動部材に対し、前記プッシュオープン機構を作動させる際に前記駆動ピンを押し出す方向へ復元力を作用させる、前記第１弾性部材よりも復元力が小さい第２弾性部材と、
前記第２弾性部材の弾性変形量が大きい、前記第２揺動部材の第２掛止体が前記第２スライダーの掛止部に掛止された前記第２スライダーの第１スライド位置と、前記第２弾性部材の弾性変形量が小さい、前記第２揺動部材の第２掛止体が前記第２スライダーのガイド部にガイドされた前記第２スライダーの第２スライド位置とを交互に切り替えて保持する切替手段とを備えたことを特徴とするソフトクローズ機構及びプッシュオープン機構を組み込んだ機構ユニット。
【請求項４】
前記切替手段が、前記第２スライダーに前記引出しの移動方向に直交する水平軸まわりに揺動可能に連結されて前記第２弾性部材と反対方向に延びる掛止具と、前記掛止具の遊端部をガイドするガイド溝とからなり、前記ガイド溝は前記掛止具の遊端部を一方向に周回させる周回溝部と、前記周回溝部の前記引出しの移動方向端部に繋がって前記引出しの移動方向に延び、前記遊端部を往復させる往復溝部とからなり、前記周回溝部の途中を前記第１スライド位置に対応する第１掛止部とし、前記往復溝部の端部を前記第２スライド位置に対応する第２掛止部としてなる請求項３記載のソフトクローズ機構及びプッシュオープン機構を組み込んだ機構ユニット。
【発明の詳細な説明】
【技術分野】
【０００１】
本発明は、家具の引出しの機能向上のためのソフトクローズ機能及びプッシュオープン機能の両方の機能を実現する機構を組み込んだ機構ユニットに関するものである。
【背景技術】
【０００２】
家具の引出しにおいて、開いた状態の引出しを閉じる際における騒音の防止及び閉止の確実化のために、引出しが閉まる直前でブレーキを掛けてゆっくりと自動的に閉止する機能（以下において、「ソフトクローズ機能」という。）を実現する機構（以下において、「ソフトクローズ機構」という。）を備えたものがある（例えば、特許文献１参照。）。
また、全閉状態の家具の引出しを開く際における操作性の向上及び引出しのデザイン性の向上のために、引出しの前面を一度押し込む動作により引出しを自動的に開く機能（以下において「プッシュオープン機能」という。）を実現する機構（以下において、「プッシュオープン機構」という。）を備えたものがある（例えば、特許文献２参照。）。
さらに、家具の引出しの機能向上のためにソフトクローズ機能及びプッシュオープン機能の両方の機能を備えるべく、ソフトクローズ機構を備えた装置とプッシュオープン機構を備えた装置を独立させて用いると、組立コスト及び調整コストが増大することから、ソフトクローズ機構及びプッシュオープン機構の両方をスライドレール等に備えるように構成したものがある（例えば、特許文献３参照。）。
【先行技術文献】
【特許文献】
【０００３】
【特許文献１】特許第４４１５２２１号公報
【特許文献２】特開２００８−１１９１７７号公報
【特許文献３】登録実用新案第３１５４１９７号公報
【発明の概要】
【発明が解決しようとする課題】
【０００４】
特許文献３の構成は、可動レール（可動部材）に第１の連結部及び第２の連結部を設け、固定レール（固定部材）に、ガイド体、ロックスライダ、第１の弾性部材、ロック部材、停止部及び緩衝部材を有するソフトクローズ機構（戻り機構）、並びに、固定座、押圧部材及び第２の弾性部材を有するプッシュオープン機構（イジェクト機構）を設け、前記ガイド体は、第１の長手部と、前記第１の長手部の端部から延伸された短手部とを有し、前記ロックスライダは、前記第１の長手部に接続され、前記第１の連結部および前記第２の連結部に対応し、前記第１の弾性部材は、前記ロックスライダに接続され、前記ロック部材は、前記ロックスライダに接続され、前記ロック部材と前記ロックスライダとによりロック空間を画定し、前記可動部材の前記第１の連結部を収納し、前記停止部は、前記ロック部材に接触しながら可動し、前記押圧部材は、前記固定座へ長手方向で可動するように接続され、前記第２の弾性部材は、前記押圧部材に接続され、前記押圧部材は、前記第２の弾性部材の弾力により、前記可動部材の前記第２の連結部に接触し、前記緩衝部材は、緩衝シリンダー及び前記緩衝シリンダーに対して変位する伸縮式ロッドを有し、前記伸縮式ロッドは、前記緩衝シリンダーから延伸され、前記ロックスライダに接触するものである。【０００５】
このような構成によれば、ソフトクローズ機構及びプッシュオープン機構の両方をスライドレール等に備えることができるため、上述のとおり組立コスト及び調整コストを低減することができる。
しかしながら、特許文献３の上記構成では、固定レール（固定部材）に取り付けるソフトクローズ機構及びプッシュオープン機構の構造が比較的複雑になるとともに、ソフトクローズ機構及びプッシュオープン機構を搭載する部分のサイズが大きくなる。
したがって、ソフトクローズ機能及びプッシュオープン機能の両方の機能を実現する機構を組み込んだ機構ユニットとして、特に既設家具の本体や引出しに取り付けて使用するのが困難である。【０００６】
そこで本発明が前述の状況に鑑み、解決しようとするところは、既設家具の本体や引出しに取り付けて使用するのに好適な、比較的簡素かつコンパクトな構成を実現した、ソフトクローズ機構及びプッシュオープン機構を組み込んだ機構ユニットを提供する点にある。
【課題を解決するための手段】
【０００７】
本発明に係るソフトクローズ機構及びプッシュオープン機構を組み込んだ機構ユニットは、前記課題解決のために、家具の本体及び引出しの一方に取り付けられ、前記本体及び引出しの他方に取り付けられた駆動ピンにより操作されてソフトクローズ機構又はプッシュオープン機構が作動する、ソフトクローズ機構及びプッシュオープン機構を組み込んだ機構ユニットであって、前記引出しの移動方向に長い基体と、前記基体により前記引出しの移動方向にスライド可能に支持されたスライダーと、前記引出しを開けた状態で、前記スライダーの前記駆動ピンに近い側に位置する、前記スライダーに設けられた、前記引出しの移動方向に直交する第１水平支軸により長手方向の中間部が支持され、前記駆動ピンに近い側の遊端部に第１被駆動面が形成されるとともに前記駆動ピンから遠い側の遊端部に第２被駆動面が形成され、前記第１水平支軸と前記第１被駆動面との間に横設された掛止体が前記基体に形成された前記引出しの移動方向に長いガイド部にガイドされるとともに、前記掛止体は前記ガイド部の端部から屈曲する掛止部まで移動することができる、前記引出しの移動方向に長いシーソー状の第１揺動部材と、前記引出しを開けた状態で、前記第１水平支軸よりも前記駆動ピンから離れて位置する、前記スライダーに設けられた、前記引出しの移動方向に直交する第２水平支軸により鉤状の中間部が支持され、前記ソフトクローズ機構を作動させる際及び前記プッシュオープン機構を作動させる際に前記駆動ピンが押圧される被駆動面、前記ソフトクローズ機構が作動した状態で前記駆動ピンが係合する鉤状係合部、並びに、前記ソフトクローズ機構を作動させる際に前記第１揺動部材の第２被駆動面を押圧する駆動面が形成された、鉤状の第２揺動部材と、前記スライダーに対し、前記ソフトクローズ機構を作動させる際に前記駆動ピンを引き込む方向へ復元力を作用させる第１弾性部材と、前記第１弾性部材により付勢された前記スライダーの運動エネルギーを散逸させて前記スライダーを制動するダンパーと、前記第２揺動部材に対し、前記プッシュオープン機構を作動させる際に前記駆動ピンを押し出す方向へ復元力を作用させる、前記第１弾性部材よりも復元力が小さい第２弾性部材と、前記第２弾性部材の弾性変形量が大きい前記第２揺動部材の第１揺動位置と前記第２弾性部材の弾性変形量が小さい前記第２揺動部材の第２揺動位置とを交互に切り替えて保持する切替手段とを備えたことを特徴とする（請求項１）。【０００８】
このような構成によれば、前記引出しを全閉した状態では、前記第２揺動部材は前記切替手段により保持されて前記第１揺動位置にあり、前記第２揺動部材の鉤状係合部に前記駆動ピンが係合しており、前記引出しを全閉した状態で前記引出しが押されると、前記駆動ピンにより前記第２揺動部材の被駆動面が押圧されて前記切替手段により前記第２揺動部材が前記第２揺動位置に切り替わる際に、前記第２弾性部材の復元力が前記第２揺動部材の被駆動面から前記駆動ピンに作用して前記駆動ピンが前記引出しを開く方向へ押圧されるとともに、前記第２揺動部材が揺動して前記駆動ピンが前記鉤状係合部から外れるため、前記引出しを自動的に開くことができる。
また、前記引出しを開ける操作に伴って、前記駆動ピンが前記第１揺動部材の第１被駆動面を押圧しながら移動し、前記第１弾性部材が弾性変形するとともに、前記第１揺動部材の掛止体が前記基体のガイド部にガイドされながら前記掛止部まで移動して、前記掛止体が前記掛止部に掛止した状態となり、この状態では前記第１揺動部材が揺動していることから、前記駆動ピンは前記第１被駆動面から離れて移動することができるため、前記引出しを全開することができる。
さらに、前記引出しを閉じる操作に伴って、前記駆動ピンにより前記第２揺動部材の被駆動面が押圧されて前記切替手段により前記第２揺動位置から前記第１揺動位置に切り替わり、前記駆動ピンが前記鉤状係合部に係合し、前記第２揺動部材が前記第２揺動位置から前記第１揺動位置へ切り替わる途中で前記第２揺動部材の駆動面が前記第１揺動部材の第２被駆動面を押圧し、前記第１揺動部材が前記第１水平支軸まわりに揺動して前記掛止体が前記掛止部から外れて前記第１弾性部材の復元力及び前記ダンパーの制動力が前記鉤状係合部に係合している駆動ピンに伝わるため、前記引出しがゆっくりと自動的に閉止する。【０００９】
すなわち、切替手段により第２弾性部材の弾性変形量が大きい第２揺動部材の第１揺動位置と第２弾性部材の弾性変形量が小さい第２揺動部材の第２揺動位置とが交互に切り替えられて保持され、プッシュオープン機構を作動させる際には、駆動ピンにより第２揺動部材が操作されて第２弾性部材の弾性変形量が大きい第１揺動位置から弾性変形量が小さい第２揺動位置に切り替わる際に解放される第２弾性部材の弾性エネルギーにより引出しを自動的に開くことができる。
その上、ソフトクローズ機構を作動させる際には、駆動ピンにより第２揺動部材が操作されて切替手段により鉤状の第２揺動部材が第２揺動位置から第１揺動位置に切り替わる際に、第２揺動部材の鉤状係合部に駆動ピンが係合するとともに、第２揺動部材の駆動面がシーソー状の第１揺動部材の第２被駆動面を押圧することから第１揺動部材を揺動させて掛止体が掛止部から外れるため、第１弾性部材の復元力及びダンパーの制動力により引出しをゆっくりと自動的に閉止することができる。
以上のように、鉤状の第２揺動部材が揺動する二つの位置を切替手段により交互に切り替え、駆動ピンが第２揺動部材の被駆動面を押圧することにより、ソフトクローズ機構又はプッシュオープン機構が作動し、ソフトクローズ機構を作動させる際には、第２揺動部材の揺動にシーソー状の第１揺動部材の揺動を連動させるようにして、シーソー状の第１揺動部材の掛止体を掛止部から外すように構成しているため、比較的簡素かつコンパクトな構成によりソフトクローズ機構及びプッシュオープン機構を組み込んだ機構ユニットを実現することができる。【００１０】
ここで、前記切替手段が、前記切替手段が、前記第２揺動部材の鉤状先端部と異なる端部に前記引出しの移動方向に直交する水平軸まわりに揺動可能に連結されて前記第２弾性部材と反対方向に延びる掛止具と、前記掛止具の遊端部をガイドして一方向に周回させる、前記スライダーに形成されたガイド溝とからなり、前記ガイド溝の周回経路の途中に、前記掛止具の遊端部を掛止する、前記第１揺動位置に対応する第１掛止部及び前記第２揺動位置に対応する第２掛止部を設けてなると好ましい（請求項２）。
このような構成によれば、第２揺動部材が揺動する二つの位置を交互に切り替える切替手段が、第２揺動部材に連結された掛止具と、掛止具の遊端部をガイドして一方向に周回させ、第１掛止部及び第２掛止部が設けられたガイド溝とからなる簡素な構成により実現されるため、低コスト化及び動作の確実化を図ることができる。【００１１】
また、本発明に係るソフトクローズ機構及びプッシュオープン機構を組み込んだ機構ユニットは、前記課題解決のために、家具の本体及び引出しの一方に取り付けられ、前記本体及び引出しの他方に取り付けられた駆動ピンにより操作されてソフトクローズ機構又はプッシュオープン機構が作動する、ソフトクローズ機構及びプッシュオープン機構を組み込んだ機構ユニットであって、前記引出しの移動方向に長い基体と、前記基体により前記引出しの移動方向にスライド可能に支持された第１スライダーと、前記引出しを開けた状態で、前記第１スライダーの前記駆動ピンに近い側に位置する、前記第１スライダーに設けられた、前記引出しの移動方向に直交する第１水平支軸により長手方向の中間部が支持され、前記駆動ピンに近い側の遊端部に被駆動面が形成されるとともに前記駆動ピンから遠い側の遊端部に回動連結部が形成され、前記第１水平支軸と前記被駆動面との間に横設された第１掛止体が前記基体に形成された前記引出しの移動方向に長いガイド部にガイドされるとともに、前記第１掛止体は前記ガイド部の端部から屈曲する掛止部まで移動することができる、前記引出しの移動方向に長いシーソー状の第１揺動部材と、前記引出しを開けた状態で、前記第１水平支軸よりも前記駆動ピンから離れて位置する、前記第１スライダーに設けられた、前記引出しの移動方向に直交する第２水平支軸により鉤状の中間部が支持され、前記ソフトクローズ機構を作動させる際及び前記プッシュオープン機構を作動させる際に前記駆動ピンが押圧される被駆動面、並びに、前記ソフトクローズ機構が作動した状態で前記駆動ピンが係合する鉤状係合部が形成された、鉤状の第２揺動部材と、前記第１水平支軸及び前記第２水平支軸の間に位置する、前記第１スライダーに設けられた、前記引出しの移動方向に直交する第３水平支軸により長手方向の中間部が支持され、前記第１揺動部材の回動連結部に連結される回動連結部が一端部に、前記ソフトクローズ機構を作動させる際に前記第２揺動部材の駆動面により駆動される被駆動面が他端部に形成された、前記引出しの移動方向に長いシーソー状の連結部材と、前記第１スライダーにより前記引出しの移動方向にスライド可能に支持され、前記第２揺動部材の鉤状先端部と異なる端部に横設された第２掛止体をガイドする、前記引出しの移動方向に長いガイド部が形成され、前記ガイド部の端部から屈曲して前記第２掛止体を掛止する掛止部が形成されるとともに、前記プッシュオープン機構が作動した状態で前記駆動ピンを押圧する押圧面が形成された第２スライダーと、前記第１スライダーに対し、前記ソフトクローズ機構を作動させる際に前記駆動ピンを引き込む方向へ復元力を作用させる第１弾性部材と、前記第１弾性部材により付勢された前記第１スライダーの運動エネルギーを散逸させて前記第１スライダーを制動するダンパーと、前記第２スライダーを経由して前記第２揺動部材に対し、前記プッシュオープン機構を作動させる際に前記駆動ピンを押し出す方向へ復元力を作用させる、前記第１弾性部材よりも復元力が小さい第２弾性部材と、前記第２弾性部材の弾性変形量が大きい、前記第２揺動部材の第２掛止体が前記第２スライダーの掛止部に掛止された前記第２スライダーの第１スライド位置と、前記第２弾性部材の弾性変形量が小さい、前記第２揺動部材の第２掛止体が前記第２スライダーのガイド部にガイドされた前記第２スライダーの第２スライド位置とを交互に切り替えて保持する切替手段とを備えたことを特徴とする（請求項３）。【００１２】
このような構成によれば、前記引出しを全閉した状態では、前記切替手段により前記第２スライダーは前記第２弾性部材の弾性変形量が大きい第１スライド位置にあり、前記第２揺動部材の第２掛止体が前記第２スライダーの掛止部に掛止された状態で前記第２揺動部材の鉤状係合部に前記駆動ピンが係合している。
この状態で前記引出しが押されると、前記駆動ピンにより前記第２揺動部材の被駆動面が押圧され、前記第２揺動部材の第２掛止体が掛止部に掛止している前記第２スライダーも押されて移動し、前記切替手段により前記第２スライダーが前記第２弾性部材の弾性変形量が小さい第２スライド位置に切り替わる際に、前記第２弾性部材の復元力が前記第２揺動部材の被駆動面及び前記第２スライダーの押圧面から前記駆動ピンに作用して前記駆動ピンが前記引出しを開く方向へ押圧されるとともに、前記第２揺動部材の第２掛止体が前記第２スライダーの掛止部からガイド部に移動して前記第２揺動部材が揺動して前記駆動ピンが前記鉤状係合部から外れるため、前記引出しを自動的に開くことができる。
また、前記引出しを開ける操作に伴って、前記駆動ピンが前記第１揺動部材の被駆動面を押圧しながら移動し、前記第１弾性部材が弾性変形するとともに、前記第１揺動部材の第１掛止体が前記基体のガイド部にガイドされながら前記基体の掛止部まで移動して、前記第１掛止体が前記掛止部に掛止した状態となり、この状態では前記第１揺動部材が揺動していることから、前記駆動ピンは前記被駆動面から離れて移動することができるため、前記引出しを全開することができる。
さらに、前記引出しを閉じる操作に伴って、前記駆動ピンにより前記第２揺動部材の被駆動面が押圧されて前記第２揺動部材が揺動すると、前記駆動ピンが前記第２揺動部材の鉤状係合部に係合し、前記第２揺動部材の駆動面が前記連結部材の被駆動面を押すため、前記連結部材が揺動し、それに伴って前記第１揺動部材が前記第１水平支軸まわりに揺動して前記第１掛止体が前記掛止部から外れて前記第１弾性部材の復元力及び前記ダンパーの制動力が前記鉤状係合部に係合している駆動ピンに伝わるため、前記引出しがゆっくりと自動的に閉止する。【００１３】
すなわち、切替手段により、第２弾性部材の弾性変形量が大きい、第２揺動部材の第２掛止体が第２スライダーの掛止部に掛止された第２スライダーの第１スライド位置と、第２弾性部材の弾性変形量が小さい、第２揺動部材の第２掛止体が第２スライダーのガイド部にガイドされた第２スライダーの第２スライド位置とが交互に切り替えられて保持され、プッシュオープン機構を作動させる際には、駆動ピンにより第２揺動部材が操作されて第２弾性部材の弾性変形量が大きい第１スライド位置から第２弾性部材の弾性変形量が小さい第２スライド位置に切り替わる際に解放される第２弾性部材の弾性エネルギーにより引出しを自動的に開くことができる。
その上、ソフトクローズ機構を作動させる際には、駆動ピンにより第２揺動部材が操作されて切替手段により第２スライダーが第２スライド位置から第１スライド位置に切り替わる際に、第２揺動部材の鉤状係合部に駆動ピンが係合するとともに、第２揺動部材の駆動面が連結部材の被駆動面を押して連結部材を介して第１揺動部材を揺動させ、第１掛止体が掛止部から外れるため、第１弾性部材の復元力及びダンパーの制動力により引出しをゆっくりと自動的に閉止することができる。
以上のように、第２スライダーの２つのスライド位置を切替手段により交互に切り替え、第２スライダーのガイド部及び掛止部に第２掛止体が係合する第２揺動部材の被駆動面を駆動ピンが押圧することにより、ソフトクローズ機構又はプッシュオープン機構が作動し、ソフトクローズ機構を作動させる際には、第２揺動部材の揺動にシーソー状の連結部材及びシーソー状の第１揺動部材の揺動を連動させるようにして、シーソー状の第１揺動部材の第１掛止体を掛止部から外すように構成しているため、比較的簡素かつコンパクトな構成によりソフトクローズ機構及びプッシュオープン機構を組み込んだ機構ユニットを実現することができる。
その上、請求項１に係る発明と比較して、第１揺動部材と第２揺動部材とを連結部材により繋いでいるとともに、第１スライダーによりスライド可能に支持された第２スライダーを設けて第２スライダーの押圧面により前記第２弾性部材の復元力を前記駆動ピンに作用させているので、プッシュオープン機構により自動的に開くストロークを大きくすることができることから、引出しに手が入りやすいため操作性を向上することができる。【００１４】
ここで、前記切替手段が、前記第２スライダーに前記引出しの移動方向に直交する水平軸まわりに揺動可能に連結されて前記第２弾性部材と反対方向に延びる掛止具と、前記掛止具の遊端部をガイドするガイド溝とからなり、前記ガイド溝は前記掛止具の遊端部を一方向に周回させる周回溝部と、前記周回溝部の前記引出しの移動方向端部に繋がって前記引出しの移動方向に延び、前記遊端部を往復させる往復溝部とからなり、前記周回溝部の途中を前記第１スライド位置に対応する第１掛止部とし、前記往復溝部の端部を前記第２スライド位置に対応する第２掛止部としてなると好ましい（請求項４）。
このような構成によれば、プッシュオープン機構のストロークを拡大するように距離が離れた第２スライダーの２つのスライド位置を交互に切り替える切替手段が、第２スライダーに連結された掛止具と、掛止具の遊端部をガイドする、第１掛止部が設けられた周回溝部及び第２掛止部が設けられた往復溝部からなるガイド溝とからなる簡素な構成により実現されるため、低コスト化及び動作の確実化を図ることができる。
【発明の効果】
【００１５】
以上のように、本発明に係るソフトクローズ機構及びプッシュオープン機構を組み込んだ機構ユニットによれば、鉤状の第２揺動部材が揺動する二つの位置（第２スライダーの２つのスライド位置）を切替手段により交互に切り替え、駆動ピンが第２揺動部材の被駆動面を押圧することにより、ソフトクローズ機構又はプッシュオープン機構が作動し、ソフトクローズ機構を作動させる際には、第２揺動部材の揺動にシーソー状の第１揺動部材の揺動を連動させるようにして、シーソー状の第１揺動部材の掛止体（第１掛止体）を掛止部から外すように構成しているため、比較的簡素かつコンパクトな構成によりソフトクローズ機構及びプッシュオープン機構を組み込んだ機構ユニットを実現することができるので、製造コストを低減することができるとともに、既設家具又は新設家具の本体又は引出しに容易に取り付けて使用することができるという顕著な効果を奏する。
【図面の簡単な説明】
【００１６】
【図１】本発明の実施の形態１に係るソフトクローズ機構及びプッシュオープン機構を組み込んだ機構ユニットが装着された家具本体及び駆動ピンが装着された引出しを示す斜視図である。
【図２】前記機構ユニットが装着された家具本体及び駆動ピンが装着された引出しを示しており、（ａ）は平面図、（ｂ）正面図である。
【図３】前記機構ユニットの分解斜視図である。
【図４】蓋体を外した状態を示す前記機構ユニットの正面図であり、引出しを全閉した状態を示している。
【図５】切替手段の説明図であり、（ａ）は掛止具及びガイド溝を示す要部拡大縦断正面図、（ｂ）はガイド溝の斜視図である。
【図６】前記機構ユニットの各状態を示す正面図であり、（ａ）はプッシュオープン機構を作動させるために引出しを押した状態、（ｂ）はプッシュオープン機構が作動して引出しが開いた状態、（ｃ）は引出しを開ける操作に伴うスライダーの移動によりソフトクローズ機構の第１弾性部材が弾性変形し、掛止具が掛止部に掛止した状態を示している。
【図７】前記機構ユニットの各状態を示す正面図であり、（ａ）は図６（ｃ）の状態から引出しをさらに開けた状態、（ｂ）は引出し閉じる操作に伴って駆動ピンが第２揺動部材の被駆動面を押している状態、（ｃ）は掛止具が掛止部から外れてソフトクローズ機構が作動した状態を示している。
【図８】切替手段を構成するガイド溝の変形例を示す要部拡大縦断正面図である。
【図９】前記機構ユニットを引出しに装着し、駆動ピンを家具本体に装着した例を示しており、（ａ）は平面図、（ｂ）は正面図である。
【図１０】本発明の実施の形態２に係るソフトクローズ機構及びプッシュオープン機構を組み込んだ機構ユニットが装着された家具本体及び駆動ピンが装着された引出しを示す斜視図である。
【図１１】前記機構ユニットが装着された家具本体及び駆動ピンが装着された引出しを示しており、（ａ）は平面図、（ｂ）正面図である。
【図１２】前記機構ユニットの分解斜視図である。
【図１３】前記機構ユニットの要部拡大分解斜視図である。
【図１４】蓋体を外した状態を示す前記機構ユニットの正面図であり、引出しを全閉した状態を示している。
【図１５】切替手段の説明図であり、（ａ）は掛止具及びガイド溝を示す要部拡大縦断正面図、（ｂ）はガイド溝に沿って移動する係止具の経路を示す正面図である。
【図１６】前記機構ユニットの各状態を示す正面図であり、（ａ）はプッシュオープン機構を作動させるために引出しを押した状態、（ｂ）はプッシュオープン機構が作動して引出しが開いた状態を示している。
【図１７】前記機構ユニットの各状態を示す正面図であり、（ａ）は引出しを開ける操作に伴って駆動ピンが第１揺動部材の被駆動面を押し、スライダーの移動によりソフトクローズ機構の第１弾性部材が弾性変形した状態、（ｂ）はさらに引出しが開けられて掛止具が掛止部に掛止した状態を示している。
【図１８】前記機構ユニットの各状態を示す正面図であり、（ａ）は引出し閉じる操作に伴って駆動ピンが第２揺動部材の被駆動面を押し、掛止具が掛止部から外れてソフトクローズ機構が作動した状態、（ｂ）はソフトクローズ機構により引出しが閉じられている状態を示している。
【発明を実施するための形態】
【００１７】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、家具の本体から引出しを引き出す方向を前（図中、矢印Ｅ参照。）とし、前方に向かって左右をいうものとし、左方から見た図を正面図とする。
【００１８】
実施の形態１．
図１の斜視図、図２（ａ）の平面図及び図２（ｂ）の正面図に示す引出しＤは、前板（鏡板）Ｆ、左右の側板Ｇ，Ｈ、後板Ｉ及び底板Ｊからなり、家具の本体Ｃ及び引出しＤに取り付けられたスライドレール等の案内手段Ｌ，Ｌ（図中において、本体Ｃ側の案内手段は省略している。）により支持され、図２のように本体Ｃ内に収容された状態と図１のように前方へ引き出した状態との間をスライド移動する。
また、本発明の実施の形態１に係るソフトクローズ機構及びプッシュオープン機構を組み込んだ機構ユニット（以下において、単に「機構ユニット」ともいう。）１，１は、本体Ｃに取り付けられ、機構ユニット１，１の基体に形成された駆動ピン挿通孔１Ｈ，１Ｈから引出しＤの左右の側板Ｇ，Ｈに取り付けられた駆動ピンＫ，Ｋが機構ユニット１，１の内部に入るため、駆動ピンＫ，Ｋにより操作されてソフトクローズ機構又はプッシュオープン機構が作動する。
【００１９】
図３の分解斜視図及び図４の正面図に示すように、機構ユニット１は、前後方向（引出しＤの移動方向）に長い箱状の基体１Ａ、基体１Ａにより前後方向にスライド可能に支持されたスライダー２、スライダー２によりそれぞれ揺動可能に支持された、シーソー状の第１揺動部材３及び鉤状の第２揺動部材４、ソフトクローズ機構を作動させる際に駆動ピンＫを引き込む方向へ復元力を作用させる第１弾性部材５，５、第１弾性部材５，５により付勢されたスライダー２の運動エネルギーを散逸させてスライダー２を制動するダンパー６、第２揺動部材４に対し、プッシュオープン機構を作動させる際に駆動ピンＫを押し出す方向へ復元力を作用させる第２弾性部材８、第２弾性部材８の弾性変形量が大きい第２揺動部材４の第１揺動位置と第２弾性部材８の弾性変形量が小さい第２揺動部材４の第２揺動位置とを交互に切り替えて保持する切替手段Ｓ（掛止具である掛止ピン９及びガイド溝１０）、並びに、蓋体１Ｂ等により構成される。
【００２０】
図３及び図４に示すように、スライダー２は、その上面２Ｆ及び下面２Ｇが基体１Ａの上壁下面１Ｆ及び下壁上面１Ｇによりガイドされるため、上述のとおり基体１Ａにより前後方向にスライド可能に支持される。
シーソー状の第１揺動部材３は、図１のように引出しＤを開けた状態（図７（ａ）も参照。）で、スライダー２の前側（駆動ピンＫに近い側）に位置する、スライダー２に設けられた、左右方向の（引出しＤの移動方向に直交する）第１水平支軸２Ａが軸孔３Ａに嵌入されるため、第１水平支軸２Ａにより長手方向の中間部が支持され、前側（引出しＤを開けた状態で駆動ピンＫに近い側）の遊端部に第１被駆動面３Ｄが形成されるとともに後側（引出しＤを開けた状態で駆動ピンＫから遠い側）の遊端部に第２被駆動面３Ｅが形成され、第１水平支軸２Ａ（軸孔３Ａ）と第１被駆動面３Ｄとの間に横設された掛止体３Ｂ，３Ｃが基体１Ａ及び蓋体１Ｂに形成された前後方向に長いガイド部である摺動溝１３Ａ，１３Ｂにガイドされるとともに、掛止体３Ｂ，３Ｃは摺動溝１３Ａ，１３Ｂの端部から屈曲する掛止部である掛止溝１４Ａ，１４Ｂまで移動することができる。
【００２１】
鉤状の第２揺動部材４は、図１のように引出しＤを開けた状態（図７（ａ）も参照。）で、スライダー２の前側（駆動ピンＫに近い側）に位置する、スライダー２に設けられた、第１水平支軸２Ａよりも後側の（駆動ピンＫから離れた）左右方向の第２水平支軸２Ｂが軸孔４Ａに嵌入されるため、第２水平支軸２Ｂにより鉤状の中間部が支持され、ソフトクローズ機構を作動させる際及びプッシュオープン機構を作動させる際に駆動ピンＫが押圧される被駆動面４Ｆ、ソフトクローズ機構が作動した状態で駆動ピンＫが係合する鉤状係合部４Ｅ、並びに、ソフトクローズ機構を作動させる際に第１揺動部材３の第２被駆動面３Ｅを押圧する駆動面４Ｇが形成される。
なお、第２揺動部材４は、スライダー２前面の当止面２Ｅに当て止めされるまで後方へ第２水平支軸２Ｂまわりに揺動することができる。
【００２２】
第１弾性部材５，５は、例えば引張コイルばねであり、スライダー２後端部のばね掛け部２Ｃ，２Ｃ及び基体１Ａ後端部のばね掛け部１Ｃ，１Ｃに両端末５Ａ，５Ｂが掛止される。
ダンパー６は、例えばオイルダンパーであり、基体１Ａのダンパー収容部１Ｅに収容され、シリンダー６Ａから前方へ突出するピストンロッド６Ｂの前端部の係合溝６Ｃに係合したＥリング７が、スライダー２後端部の係合溝２Ｄに係合する。
第２弾性部材８は、例えば引張コイルばねであり、第１弾性部材５，５よりも復元力が小さく設定されており、基体１Ａ前端部のばね掛け部１Ｄ及び第２揺動部材４の鉤状先端部と異なる端部（左右方向の支軸４Ｂに係合孔１１Ａを係合させたばね受け１１のばね掛け部１１Ｂ）に両端末８Ａ，８Ｂが掛止される。
【００２３】
また、第２揺動部材４の鉤状先端部と異なる端部（ばね受け１１の後方）には、左右方向の掛止ピン支持孔４Ｃに掛止ピン９の基端部９Ａが挿入されるため、掛止ピン９は第２揺動部材４に対して上下方向に揺動可能であり、第２揺動部材４の掛止ピン支持孔４Ｃの上下の係合凹部４Ｄ，４Ｄにピンカバー１２の係合凸部１２Ａ，１２Ａが係合するため、ピンカバー１２により掛止ピン９の基端部９Ａの左右方向の移動が規制される。
ここで、上述の各機構部品を基体１Ａに組み付けた後、蓋体１Ｂの通孔１Ｉ，１Ｉ，…から基体１Ａの螺孔１Ｊ，１Ｊ，…に取付ねじ１５，１５，…を螺合することにより、蓋体１Ｂが基体１Ａに取り付けられ、ソフトクローズ機構及びプッシュオープン機構を組み込んだ機構ユニット１の組立が完成し、基体１Ａに形成した取付孔１Ｋ，１Ｋ，…を用いて家具の本体Ｃ又は引出しＤに容易に取り付けることができる。
【００２４】
次に、切替手段Ｓの詳細について説明する。
図３及び図４のように、掛止具である掛止ピン９は、その基端部９Ａが、上述のとおり、第２揺動部材４の鉤状先端部と異なる端部に左右方向軸（引出しＤの移動方向に直交する水平軸）まわりに揺動可能に連結されるとともに、第２弾性部材８と反対方向に延びている。
また、図５（ａ）の要部拡大縦断正面図及び図５（ｂ）の斜視図に示すように、掛止ピン９の遊端部９Ｂは、その先端がガイド溝１０を摺動するように一方向に周回する（図５（ａ）のＭ１，Ｍ２，Ｍ３，Ｍ４参照。）。
すなわち、図５（ａ）及び（ｂ）に示すように、経路Ｍ１の途中には、平面a，ｂの間で段落ちする段部１０Ｂが、経路Ｍ２の途中には、平面ｄ，ｅの間で段落ちする段部１０Ｃが、経路Ｍ３の途中には、平面ｇ，ｈの間で段落ちする段部１０Ｄが、経路Ｍ４の途中には、平面ｈ，ａの間で段落ちする段部１０Ａが形成されており、平面ｂ，ｄ間は斜面ｃにより接続され、平面ｅ，ｇ間は斜面ｆにより接続される。
【００２５】
よって、段部１０Ａ，１０Ｂ，１０Ｃ，１０Ｄの段落ち量を小さくして動作の円滑性及び信頼性を確保しながら、掛止ピン９の遊端部９Ｂは、前記段部を順番に段落ちしながら、逆方向へ戻ることなく、ガイド溝１０に沿って経路Ｍ１，Ｍ２，Ｍ３，Ｍ４の一方向へ周回する。
また、ガイド溝１０の周回経路の途中には、掛止ピン９の遊端部９Ｂを掛止する、第２弾性部材８の弾性変形量が大きい第２揺動部材４の第１揺動位置に対応する第１掛止部Ｐ１と、第２弾性部材８の弾性変形量が小さい第２揺動部材４の第２揺動位置に対応する第２掛止部Ｐ２が設けられているため、切替手段Ｓ（掛止具である掛止ピン９及びガイド溝１０）により、前記第１揺動位置と前記第２揺動位置とを交互に切り替えることができる。
【００２６】
次に、機構ユニット１のソフトクローズ機構Ａ及びプッシュオープン機構Ｂの動作について説明する。
図４に示すように、スライダー２、第１弾性部材５，５及びダンパー６、第１揺動部材３、ガイド部である摺動溝１３Ａ，１３Ｂ及び掛止部である掛止溝１４Ａ，１４Ｂ並びに第２揺動部材４が、ソフトクローズ機構Ａを構成する。
また、スライダー２、第２弾性部材８、切替手段Ｓである掛止ピン（掛止具）９及びガイド溝１０並びに第２揺動部材４が、プッシュオープン機構Ｂを構成する。
【００２７】
図４に示す引出しＤが全閉した状態（図２も参照。）では、切替手段Ｓにより、掛止ピン９の遊端部９Ｂがガイド溝１０の第１掛止部Ｐ１（図５参照。）に掛止した状態が保持される。
この状態からプッシュオープン機構Ｂを作動させるために引出しＤの前面を押した図６（ａ）の状態では、第２揺動部材４の被駆動面４Ｆが駆動ピンＫにより押されて第２揺動部材４は第２水平支軸２Ｂまわりに後方へ揺動し、切替手段Ｓにより掛止ピン９の遊端部９Ｂがガイド溝１０の第２掛止部Ｐ２（図５参照。）に掛止した図６（ｂ）の状態に切り替わる際に第２揺動部材４は第２水平支軸２Ｂまわりに前方へ揺動する。
【００２８】
よって、掛止ピン９の遊端部９Ｂが第１掛止部Ｐ１に位置した第２弾性部材８の弾性変形量が大きい第２揺動部材４の第１揺動位置から、掛止ピン９の遊端部９Ｂが第２掛止部Ｐ２に位置した第２弾性部材８の弾性変形量が小さい第２揺動部材４の第２揺動位置に切り替わる際に、第２弾性部材８の弾性エネルギーが解放され、第２弾性部材８の復元力が第２揺動部材４の被駆動面４Ｆから駆動ピンＫに作用して駆動ピンＫが前方（引出しＤを開く方向）へ押圧されるとともに、第２揺動部材４が揺動して駆動ピンＫが鉤状係合部４Ｅから外れるため、引出しＤが自動的に開いた状態となる。
【００２９】
図６（ｂ）の状態では、駆動ピンＫが第１揺動部材３の第１被駆動面３Ｄに当接する位置までの範囲で引出しＤが開いているため、図１のように引出しＤの前面に把手や手掛けがなくても、例えば引出しＤの前板Ｆの上端縁を持って引出しＤを開くことができる。
引出しＤを開ける操作に伴って、図６（ｃ）に示すように、駆動ピンＫが第１揺動部材３の第１被駆動面３Ｄを押圧しながら前方へ移動し、第１弾性部材５，５が弾性変形するとともに、第１揺動部材３の掛止体３Ｂ，３Ｃが基体１Ａ及び蓋体１Ｂの摺動溝１３Ａ，１３Ｂにガイドされながら掛止溝１４Ａ，１４Ｂまで移動して、掛止体３Ｂ，３Ｃが掛止溝１４Ａ，１４Ｂに掛止した状態となる。
【００３０】
この状態では第１揺動部材３が揺動して掛止されており、駆動ピンＫから第１揺動部材３の第１被駆動面３Ｄが離れているため、引出しＤに第１弾性部材５，５の復元力が作用することなく、引出しＤ（駆動ピンＫ）を図７（ａ）に示すように前方へ移動させて全開することができる。
なお、図６（ｃ）及び図７（ａ）の状態では、第１揺動部材３の掛止体３Ｂ，３Ｃが掛止溝１４Ａ，１４Ｂに掛止して、スライダー２の移動が停止した状態が保持されているため、ソフトクローズ機構Ａを構成する第１弾性部材５，５に弾性エネルギーが蓄積している。
【００３１】
引出しＤを全開した状態から引出しＤを閉じると、図７（ｂ）に示すように、駆動ピンＫにより第２揺動部材４の被駆動面４Ｆが押圧されて切替手段Ｓにより前記第２揺動位置から前記第１揺動位置に切り替わり、駆動ピンＫが第２揺動部材４の鉤状係合部４Ｅに係合し、第２揺動部材４が前記第２揺動位置から前記第１揺動位置へ切り替わる途中で第２揺動部材４の駆動面４Ｇが第１揺動部材３の第２被駆動面３Ｅを押圧し、図７（ｃ）に示すように第１揺動部材３が第１水平支軸２Ａまわりに揺動して掛止体３Ｂ，３Ｃが掛止溝１４Ａ，１４Ｂから外れる。
この状態では、第１弾性部材５，５の復元力及びダンパー６の制動力が、スライダー２、第２揺動部材４を通して、第２揺動部材４の鉤状係合部４Ｅに係合している駆動ピンＫに伝わるため、引出しＤがゆっくりと自動的に閉止して図４に示す引出しＤが全閉した状態となる。
【００３２】
次に、切替手段Ｓの変形例について説明する。
図８の要部拡大縦断正面図は、図５のような段部１０Ａ，１０Ｂ，１０Ｃ，１０Ｄを形成して段落ちさせることなく、掛止ピン９の遊端部９Ｂの先端をガイド溝１０に沿わせて一方向に周回させる構成（図８のＭ１，Ｍ２，Ｍ３，Ｍ４参照。）を示している。
すなわち、掛止ピン９の遊端部９Ｂが第１掛止部Ｐ１に掛止した状態から、遊端部９Ｂがガイド溝１０に対して相対的に後方へ移動すると、遊端部９Ｂが傾斜壁部１０Ｅに当接するため、経路Ｍ１のように移動し、この状態から遊端部９Ｂがガイド溝１０に対して相対的に前方へ移動すると、遊端部９Ｂは傾斜壁部１０Ｆに当接した後に第２掛止部Ｐ２に掛止した状態となるように経路Ｍ２のように移動する。
また、掛止ピン９の遊端部９Ｂが第２掛止部Ｐ２に掛止した状態から、遊端部９Ｂがガイド溝１０に対して相対的に後方へ移動すると、遊端部９Ｂが傾斜壁部１０Ｇに当接するため、経路Ｍ３のように移動し、この状態から遊端部９Ｂがガイド溝１０に対して相対的に前方へ移動すると、遊端部９Ｂは傾斜壁部１０Ｈに当接した後に第１掛止部Ｐ１に掛止した状態となるように経路Ｍ４のように移動する。
したがって、図８のようなガイド溝１０であっても、このガイド溝１０と掛止ピン９からなる切替手段Ｓにより、第２弾性部材８の弾性変形量が大きい第２揺動部材４の第１揺動位置（掛止ピン９の遊端部９Ｂが第１掛止部Ｐ１に掛止した状態）と第２弾性部材８の弾性変形量が小さい第２揺動部材４の第２揺動位置（掛止ピン９の遊端部９Ｂが第２掛止部Ｐ２に掛止した状態）とを交互に切り替えて保持することができる。
また、このようなガイド溝１０によれば、段部や斜面がないため、掛止ピン９の磨耗を抑制することができる。
【００３３】
以上の説明においては、機構ユニット１，１を家具の本体Ｃに装着して駆動ピンＫ，Ｋを家具の引出しＤに装着する構成を示したが、図９（ａ）の平面図及び図９（ｂ）の正面図に示すように、機構ユニット１，１を引出しＤに装着して駆動ピンＫ，Ｋを本体Ｃに装着してもよく、機構ユニット１の上下を逆にしてもよい。
あるいは、１個のみの機構ユニット１を引出しＤの下面に装着し、本体Ｃに１個の駆動ピンＫを装着するようにしてもよい。
【００３４】
以上のようなソフトクローズ機構及びプッシュオープン機構を組み込んだ機構ユニット１の構成によれば、切替手段Ｓにより第２弾性部材８の弾性変形量が大きい第２揺動部材４の第１揺動位置と第２弾性部材８の弾性変形量が小さい第２揺動部材４の第２揺動位置とが交互に切り替えられて保持され、プッシュオープン機構Ｂを作動させる際には、駆動ピンＫにより第２揺動部材４が操作されて第２弾性部材８の弾性変形量が大きい第１揺動位置から弾性変形量が小さい第２揺動位置に切り替わる際に解放される第２弾性部材８の弾性エネルギーにより引出しＤを自動的に開くことができる。
また、ソフトクローズ機構Ａを作動させる際には、駆動ピンＫにより第２揺動部材４が操作されて切替手段Ｓにより鉤状の第２揺動部材４が第２揺動位置から第１揺動位置に切り替わる際に、第２揺動部材４の鉤状係合部４Ｅに駆動ピンＫが係合するとともに、第２揺動部材４の駆動面４Ｇがシーソー状の第１揺動部材３の第２被駆動面３Ｅを押圧することから第１揺動部材３を揺動させて掛止体３Ｂ，３Ｃが掛止溝１４Ａ，１４Ｂから外れるため、第１弾性部材５，５の復元力及びダンパー６の制動力により引出しＤをゆっくりと自動的に閉止することができる。
【００３５】
さらに、鉤状の第２揺動部材４が揺動する二つの位置を切替手段Ｓにより交互に切り替え、駆動ピンＫが第２揺動部材４の被駆動面４Ｆを押圧することにより、ソフトクローズ機構Ａ又はプッシュオープン機構Ｂが作動し、ソフトクローズ機構Ａを作動させる際には、第２揺動部材４の揺動にシーソー状の第１揺動部材３の揺動を連動させるようにして、シーソー状の第１揺動部材３の掛止体３Ｂ，３Ｃを掛止溝１４Ａ，１４Ｂから外すように構成しているため、比較的簡素かつコンパクトな構成によりソフトクローズ機構Ａ及びプッシュオープン機構Ｂを組み込むことができるので、製造コストを低減することができるとともに、既設家具又は新設家具の本体Ｃ又は引出しＤに容易に取り付けて使用することができる。
さらにまた、切替手段Ｓを、第２揺動部材４の鉤状先端部と異なる端部に引出しＤの移動方向に直交する水平軸まわりに揺動可能に連結されて第２弾性部材８と反対方向に延びる掛止ピン（掛止具）９と、掛止ピン９の遊端部９Ｂをガイドして一方向に周回させる、スライダー２に形成されたガイド溝１０とからなり、ガイド溝１０の周回経路の途中に、掛止ピン９の遊端部９Ｂを掛止する、第２揺動部材４の前記第１揺動位置に対応する第１掛止部及び第２揺動部材４の前記第２揺動位置に対応する第２掛止部を設けてなるものとすることにより、切替手段Ｓが簡素な構成により実現されるため、低コスト化及び動作の確実化を図ることができる。
【００３６】
実施の形態２．
図１０の斜視図、図１１（ａ）の平面図及び図１１（ｂ）の正面図に示す家具の本体Ｃ及び引出しＤは、図１及び図２の家具の本体Ｃ及び引出しＤと同様のものである。
本発明の実施の形態２に係るソフトクローズ機構及びプッシュオープン機構を組み込んだ機構ユニット（以下において、単に「機構ユニット」ともいう。）２１，２１は、本体Ｃに取り付けられ、機構ユニット２１，２１の蓋体に形成された駆動ピン挿通孔２１Ｈ，２１Ｈから引出しＤの左右の側板Ｇ，Ｈに取り付けられた駆動ピンＫ，Ｋが機構ユニット２１，２１の内部に入るため、駆動ピンＫ，Ｋにより操作されてソフトクローズ機構又はプッシュオープン機構が作動する。
【００３７】
図１２の分解斜視図及び図１３の要部拡大分解斜視図並びに図１４の正面図に示すように、機構ユニット２１は、前後方向（引出しＤの移動方向）に長い箱状の基体２１Ａ、基体２１Ａにより前後方向にスライド可能に支持された第１スライダー２２、第１スライダー２２により前後方向にスライド可能に支持された第２スライダー３２、第１スライダー２２によりそれぞれ揺動可能に支持された、シーソー状の第１揺動部材２３及び鉤状の第２揺動部材２４並びにシーソー状の連結部材３５、ソフトクローズ機構を作動させる際に駆動ピンＫを引き込む方向へ復元力を作用させる第１弾性部材２５，２５、第１弾性部材２５，２５により付勢された第１スライダー２２の運動エネルギーを散逸させて第１スライダー２２を制動するダンパー２６、第２スライダー３２を経由して第２揺動部材２４に対し、プッシュオープン機構を作動させる際に駆動ピンＫを押し出す方向へ復元力を作用させる第２弾性部材２８、第２弾性部材２８の弾性変形量が大きい第２スライダー３２の第１スライド位置と第２弾性部材２８の弾性変形量が小さい第２スライダー３２の第２スライド位置とを交互に切り替えて保持する切替手段Ｓ（掛止具２９及びガイド溝４０）、並びに、蓋体２１Ｂ等により構成される。
【００３８】
図１２〜図１４に示すように、第１スライダー２２は、その上面２２Ｆ及び下面２２Ｇが基体２１Ａの上壁下面２１Ｆ及び下壁上面２１Ｇによりガイドされるため、上述のとおり基体２１Ａにより前後方向にスライド可能に支持される。
シーソー状の第１揺動部材２３は、図１０のように引出しＤを開けた状態（図１７（ｂ）も参照。）で、第１スライダー２２の前側（駆動ピンＫに近い側）に位置する、第１スライダー２２に設けられた、左右方向の（引出しＤの移動方向に直交する）第１水平支軸２１Ａが軸孔２３Ａに嵌入されるため、第１水平支軸２２Ａにより長手方向の中間部が支持され、前側（引出しＤを開けた状態で駆動ピンＫに近い側）の遊端部に被駆動面２３Ｄが形成されるとともに後側（引出しＤを開けた状態で駆動ピンＫから遠い側）の遊端部に回動連結部である左右方向の連結ピン２３Ｅが形成され、第１水平支軸２２Ａ（軸孔２３Ａ）と被駆動面２３Ｄとの間に横設された第１掛止体２３Ｂが基体２１Ａに形成された前後方向に長いガイド部である摺動溝３３にガイドされるとともに、第１掛止体２３Ｂは摺動溝３３の端部から屈曲する掛止部である掛止溝３４まで移動することができる。
【００３９】
鉤状の第２揺動部材２４は、図１０のように引出しＤを開けた状態（図１７（ｂ）も参照。）で、第１水平支軸２２Ａよりも後側に（駆動ピンＫから離れて）位置する、第１スライダー２２に設けられた、左右方向の第２水平支軸２２Ｂが軸孔２４Ａに嵌入されるため、第２水平支軸２２Ｂにより鉤状の中間部が支持され、ソフトクローズ機構を作動させる際及びプッシュオープン機構を作動させる際に駆動ピンＫが押圧される被駆動面２４Ｆ、並びに、ソフトクローズ機構が作動した状態で駆動ピンＫが係合する鉤状係合部２４Ｅが形成される。
なお、第２揺動部材２４は、その後面の当止面２４Ｄが第１スライダー２２前面の当止面２２Ｅに当て止めされるまで、後方へ第２水平支軸２２Ｂまわりに揺動することができる。
【００４０】
シーソー状の連結部材３５は、第１水平支軸２２Ａ及び第２水平支軸２２Ｂの間に位置する、第１スライダー２２に設けられた、左右方向の第３水平支軸２２Ｃが軸孔３５Ａに嵌入されるため、第３水平支軸２２Ｃにより長手方向の中間部が支持され、第１揺動部材２３の回動連結部である連結ピン２３Ｅに連結される回動連結部である長孔３５Ｂが一端部に、ソフトクローズ機構を作動させる際に第２揺動部材２４の駆動面２４Ｇにより駆動される被駆動面３５Ｃが他端部に形成される。
第２スライダー３２は、前後方向に延びる凹条３２Ａが第１スライダー２２の前後方向に延びる突条２２Ｈに係合するため、第１スライダー２２により前後方向にスライド可能に支持され、第２揺動部材２４の鉤状先端部と異なる端部に横設された第２掛止体２４Ｂをガイドする、前後方向に長いガイド部である摺動溝３２Ｂが形成され、摺動溝３２Ｂの端部から屈曲して第２掛止体２４Ｂを掛止する掛止部である掛止溝３２Ｃが形成されるとともに、プッシュオープン機構が作動した状態で駆動ピンＫを押圧する押圧面３２Ｆが形成される。
【００４１】
第１弾性部材２５，２５は、例えば引張コイルばねであり、第１スライダー２２前端部のばね掛けピン２２Ｉ及び第１揺動部材２３中間部下側のばね掛けピンばね掛止ピン２３Ｃ並びに基体２１Ａ後端部のばね掛けピン２１Ｃ，２１Ｃに両端末２５Ａ，２５Ｂが掛止される。
なお、第１弾性部材２５，２５は、第１スライダー２２に対し、ソフトクローズ機構を作動させる際に駆動ピンＫを引き込む方向へ復元力を作用させればよいので、端末２５Ａを第１揺動部材２３のばね掛止ピン２３Ｃに掛止する必要はなく、第１弾性部材２５，２５の一端末２５Ａ，２５Ａの両方を、第１スライダー２２に掛止するようにしてもよい。
ダンパー２６は、例えばオイルダンパーであり、基体２１Ａのダンパー収容部２１Ｅに収容され、シリンダー２６Ａから前方へ突出するピストンロッド２６Ｂの前端部の係合溝２６Ｃに係合したＥリング２７が、第１スライダー２２後端部の係合溝２２Ｄに係合する。
第２弾性部材２８は、例えば引張コイルばねであり、第１弾性部材２５，２５よりも復元力が小さく設定されており、基体２１Ａ前端部のばね掛けピン２１Ｄ及び第２スライダー３２のばね掛止ピン３２Ｅに両端末８Ａ，８Ｂが掛止される。
【００４２】
図１３に示すように、第２スライダー３２の後側に位置する軸孔３２Ｄに挿入される連結ピン３８を連結片３０の一端部の通孔３０Ａに挿通して軸端をかしめることにより、連結片３０が第２スライダー３２により揺動可能に支持され、掛止ロッド３１の軸端を連結片３０の他端部の通孔３０Ｂに挿通して軸端をかしめることにより、掛止ロッド３１が連結片３０の他端部（遊端部）に装着され、連結片３０及び掛止ロッド３１が掛止具２９を構成する。すなわち、掛止具２９は、連結ピン３８により第２スライダー３２に左右方向軸まわりに揺動可能に連結され、第２弾性部材２８と反対方向に延びている。
また、上下方向に長いシーソー状のシャッター３６の中間部から右方に突設された支軸３６Ａが第１スライダー２２後端部の軸孔２２Ｋに嵌入され、シャッター３６の中間部から左方に突設された支軸３６Ｂがカバー３９の軸孔３９Ａに嵌入され、カバー３９の右面から突出する係合凸部３９Ｂ，３９Ｂ，…が第１スライダー２２係合凹部２２Ｌに嵌入される。
【００４３】
さらに、図１５（ａ）の要部拡大縦断正面図に示すように、第１スライダー２２後端部のばね収容凹部２２Ｍに圧縮コイルばね３７が収容され、シャッター３６の一端部（下端部）のばね受け３６Ｄが圧縮コイルばね３７により弾性付勢された状態でシャッター３６の他端部（上端部）の突出部３６Ｃがガイド溝４０内に突出する。
ここで、上述の各機構部品を基体２１Ａに組み付けた後、蓋体２１Ｂの通孔２１Ｉ，２１Ｉ，…から基体２１Ａの螺孔２１Ｊ，２１Ｊ，…に取付ねじ１５，１５，…を螺合することにより、蓋体２１Ｂが基体２１Ａに取り付けられ、ソフトクローズ機構及びプッシュオープン機構を組み込んだ機構ユニット２１の組立が完成し、蓋体２１Ｂに形成した取付孔２１Ｋ，２１Ｋ，…及び基体２１Ａに形成した取付孔２１Ｌ，２１Ｌ，…が連通するため、これらの取付孔を用いて家具の本体Ｃ又は引出しＤに容易に取り付けることができる。
【００４４】
次に、切替手段Ｓの詳細について説明する。
図１５（ａ）の要部拡大縦断正面図及び図１５（ｂ）の正面図に示すガイド溝４０は、掛止具２９の遊端部である掛止ロッド３１をガイドするものであり、図８のガイド溝１０と同様の構成である周回溝部（経路Ｍ１，Ｍ２，Ｍ３，Ｍ４）と、この周回溝部の前端部に繋がって前後方向に延びる往復溝部（経路Ｎ１，Ｎ２）とからなる。
そして、このようなガイド溝４０及び掛止具２９からなる切替手段Ｓにより、掛止ロッド３１の位置が、前記周回溝部の途中である、第２弾性部材２８の弾性変形量が大きい第２スライダー３２の第１スライド位置に対応する第１掛止部Ｐ１、又は、前記往復溝部の前端部である、第２弾性部材２８の弾性変形量が小さい第２スライダー３２の第２スライド位置に対応する第２掛止部Ｐ２に切り替わり、掛止ロッド３１は、Ｍ１，Ｍ２，Ｎ１，Ｎ２，Ｍ３，Ｍ４の順にこれらの経路に沿って移動する。
【００４５】
ここで、シャッター３６の突出部３６Ｃが経路Ｍ２を塞いでいるが、前記周回溝部の経路Ｍ２から前記直線溝部の経路Ｎ１へ掛止ロッド３１が移動する際には、突出部３６Ｃの斜面が掛止ロッド３１により押され、圧縮コイルばね３７の弾性付勢力に抗して支軸３６Ａ，３６Ｂまわりにシャッター３６が揺動するため、シャッター３６が掛止ロッド３１の移動を妨げることがない。
また、前記直線溝部の経路Ｎ２から前記周回溝部の経路Ｍ３へ掛止ロッド３１が移動する際には、シャッター３６が経路Ｍ２への通路を塞いでいることから、掛止ロッド３１が経路Ｎ２から経路Ｍ２の方へ移動することが阻止されるため、掛止ロッド３１は、経路Ｎ２から経路Ｍ３へ確実に移動する。
【００４６】
次に、機構ユニット１のソフトクローズ機構Ａ及びプッシュオープン機構Ｂの動作について説明する。
図１４に示すように、第１スライダー２２、第１弾性部材２５，２５及びダンパー２６、第１揺動部材２３、ガイド部である摺動溝３３及び掛止部である掛止溝３４、連結部材３５並びに第２揺動部材２４が、ソフトクローズ機構Ａを構成する。
また、第１スライダー２２、第２弾性部材２８、切替手段Ｓである掛止具２９及びガイド溝４０、第２揺動部材２４並びに第２スライダー３２が、プッシュオープン機構Ｂを構成する。
【００４７】
図１４に示す引出しＤが全閉した状態（図１１も参照。）では、切替手段Ｓにより、掛止ロッド３１ガイド溝４０の第１掛止部Ｐ１（図１５参照。）に掛止した状態が保持される。
この状態からプッシュオープン機構Ｂを作動させるために引出しＤの前面を押した図１６（ａ）の状態では、駆動ピンＫにより第２揺動部材２４の被駆動面２４Ｆが押圧され、第２揺動部材２４の第２掛止体２４Ｂが掛止溝３２Ｃに掛止している第２スライダー３２も押されて移動し、切替手段Ｓにより掛止ロッド３１がガイド溝４０の第２掛止部Ｐ２（図１５参照。）に掛止した図１６（ｂ）の状態に切り替わる際に第２揺動部材２４は第２水平支軸２２Ｂまわりに前方へ揺動する。
【００４８】
よって、掛止ロッド３１が第１掛止部Ｐ１に位置した第２弾性部材２８の弾性変形量が大きい第２スライダー３２の第１スライド位置から、掛止ロッド３１が第２掛止部Ｐ２に位置した第２弾性部材２８の弾性変形量が小さい第２スライダー３２の第２スライド位置に切り替わる際に、第２弾性部材２８の弾性エネルギーが解放され、第２弾性部材２８の復元力が第２揺動部材２４の被駆動面２４Ｆ及び第２スライダー３２の押圧面３２Ｆから駆動ピンＫに作用して駆動ピンＫが前方（引出しＤを開く方向）へ押圧されるとともに、第２揺動部材２４が揺動して駆動ピンＫが鉤状係合部２４Ｅから外れるため、引出しＤが自動的に開いた状態となる。駆動ピンＫは、図１６（ｂ）の二点鎖線のように第２スライダー３２の押圧面３２Ｆにより押されて付勢され、図１６（ｂ）の実線のように第１揺動部材２３の被駆動面２３Ｄの後方まで移動する。
【００４９】
図１６（ｂ）の状態では、駆動ピンＫが第１揺動部材２３の被駆動面２３Ｄに当接する位置までの範囲で引出しＤが開いているため、図１０のように引出しＤの前面に把手や手掛けがなくても、例えば引出しＤの前板Ｆの上端縁を持って引出しＤを開くことができる。
引出しＤを開ける操作に伴って、図１７（ａ）に示すように、駆動ピンＫが第１揺動部材２３の被駆動面２３Ｄを押圧しながら前方へ移動し、第１弾性部材２５，２５が弾性変形するとともに、第１揺動部材２３の第１掛止体２３Ｂが基体２１Ａの摺動溝３３にガイドされながら掛止溝３４まで移動して、第１掛止体２３Ｂが掛止溝３４に掛止した状態となる。
【００５０】
この状態では第１揺動部材２３が揺動して掛止されており、駆動ピンＫから第１揺動部材２３の被駆動面２３Ｄが離れているため、引出しＤに第１弾性部材２５，２５の復元力が作用することなく、引出しＤ（駆動ピンＫ）を図１７（ｂ）に示すように前方へ移動させて全開することができる。
なお、図１７（ａ）及び図１７（ｂ）の状態では、第１揺動部材２３の第１掛止体２３Ｂが掛止溝３４に掛止して、第１スライダー２２の移動が停止した状態が保持されているため、ソフトクローズ機構Ａを構成する第１弾性部材２５，２５に弾性エネルギーが蓄積している。
【００５１】
引出しＤを全開した状態から引出しＤを閉じると、図１８（ａ）に示すように、駆動ピンＫにより第２揺動部材２４の被駆動面２４Ｆが押圧され、切替手段Ｓにより第２スライダー３２が第２スライド位置から第１スライド位置に切り替わり、駆動ピンＫが第２揺動部材２４の鉤状係合部２４Ｅに係合し、第２スライダー３２が第２スライド位置から第１スライド位置へ切り替わる途中で第２揺動部材２４の駆動面２４Ｇが連結部材３５の被駆動面３５Ｃを押圧し、図１８（ｂ）に示すように連結部材３５が揺動し、それに伴って第１揺動部材２３が第１水平支軸２２Ａまわりに揺動して第１掛止体２３Ｂが掛止溝３４から外れる。
【００５２】
この状態では、第１弾性部材２５，２５の復元力及びダンパー２６の制動力が、第１スライダー２２、第２揺動部材２４を通して、第２揺動部材２４の鉤状係合部２４Ｅに係合している駆動ピンＫに伝わるため、引出しＤがゆっくりと自動的に閉止して図１４に示す引出しＤが全閉した状態となる。
ここで、図１３に示す第２揺動部材２４の右面に突設された摺動ピン２４Ｃ（図１４も参照。）が第１スライダー２２のスリット２２Ｊを通って、図１２に示す基体２１Ａの左面に形成された周回溝４１（図１４も参照。）に沿って移動するように構成されており、摺動ピン２４Ｃは、引出しＤを開ける際には周回溝４１の下側を、引出しＤを閉じる際には周回溝４１の上側を通って移動するため、誤動作を防止することができる。
【００５３】
以上のようなソフトクローズ機構及びプッシュオープン機構を組み込んだ機構ユニット２１の構成によれば、切替手段Ｓにより第２弾性部材２８の弾性変形量が大きい第２スライダー３２の第１スライド位置と第２弾性部材２８の弾性変形量が小さい第２スライダー３２の第２スライド位置とが交互に切り替えられて保持され、プッシュオープン機構Ｂを作動させる際には、駆動ピンＫにより第２揺動部材２４が操作されて第２弾性部材２８の弾性変形量が大きい前記第１スライド位置から弾性変形量が小さい前記第２スライド位置に切り替わる際に解放される第２弾性部材２８の弾性エネルギーにより引出しＤを自動的に開くことができる。
また、ソフトクローズ機構Ａを作動させる際には、駆動ピンＫにより第２揺動部材２４が操作されて切替手段Ｓにより第２スライダー３２が第２スライド位置から第１スライド位置に切り替わる際に、駆動ピンＫが第２揺動部材２４の鉤状係合部２４Ｅに係合し、第２揺動部材２４の駆動面２４Ｇが連結部材３５の被駆動面３５Ｃを押圧し、連結部材３５を介して第１揺動部材２３を揺動させて第１掛止体２３Ｂが掛止溝３４から外れるため、第１弾性部材２５，２５の復元力及びダンパー２６の制動力により引出しＤをゆっくりと自動的に閉止することができる。
【００５４】
さらに、第２スライダー３２の２つのスライド位置を切替手段Ｓにより交互に切り替え、第２スライダー３２の摺動溝３２Ｂ及び掛止溝３２Ｃに第２掛止体２４Ｂが係合する第２揺動部材２４の被駆動面２４Ｆを駆動ピンＫが押圧することにより、ソフトクローズ機構Ａ又はプッシュオープン機構Ｂが作動し、ソフトクローズ機構Ｂを作動させる際には、第２揺動部材２４の揺動にシーソー状の連結部材３５及びシーソー状の第１揺動部材２３の揺動を連動させるようにして、シーソー状の第１揺動部材２３の第１掛止体２３Ｂを掛止部３４から外すように構成しているため、比較的簡素かつコンパクトな構成によりソフトクローズ機構Ａ及びプッシュオープン機構Ｂを組み込むことができるので、製造コストを低減することができるとともに、既設家具又は新設家具の本体Ｃ又は引出しＤに容易に取り付けて使用することができる。
さらにまた、実施の形態１と比較して、第１揺動部材２３と第２揺動部材２４とを連結部材３５により繋いでいるとともに、第１スライダー２２によりスライド可能に支持された第２スライダー３２を設けて第２スライダー３２の押圧面３２Ｆにより第２弾性部材２８の復元力を駆動ピンＫに作用させているので、プッシュオープン機構Ｂにより自動的に開くストロークを大きくすることができることから、引出しＤに手が入りやすいため操作性を向上することができる。
【００５５】
また、切替手段Ｓを、第２スライダー３２に水平軸（連結ピン３８）まわりに揺動可能に連結されて第２弾性部材２８と反対方向に延びる掛止具２９と、掛止具２９の遊端部（掛止ロッド３１）をガイドするガイド溝４０とにより構成し、ガイド溝４０は掛止具２９の遊端部を一方向に周回させる周回溝部と、前記周回溝部の前端部に繋がって前後方向に延び、前記遊端部を往復させる往復溝部とからなり、前記周回溝部の途中を前記第２スライダー３２の第１スライド位置に対応する第１掛止部Ｐ１とし、前記往復溝部の前端部を前記第２スライダー３２の第２スライド位置に対応する第２掛止部Ｐ２としている。
よって、プッシュオープン機構Ｂのストロークを拡大するように距離が離れた第２スライダー３２の２つのスライド位置を交互に切り替える切替手段Ｓが、第２スライダー３２に連結された掛止具２９と、掛止具２９の遊端部をガイドする、第１掛止部Ｐ１が設けられた周回溝部及び第２掛止部Ｐ２が設けられた往復溝部からなるガイド溝４０とからなる簡素な構成により実現されるため、低コスト化及び動作の確実化を図ることができる。
【符号の説明】
【００５６】
Ａ  ソフトクローズ機構                  Ｂ  プッシュオープン機構
Ｃ  家具の本体                          Ｄ  家具の引出し
Ｅ  前方                                Ｆ  前板
Ｇ，Ｈ  側板                            Ｉ  後板
Ｊ  底板                                Ｋ  駆動ピン
Ｌ  案内手段                            Ｍ１，Ｍ２，Ｍ３，Ｍ４  経路
Ｎ１，Ｎ２  経路                        Ｐ１  第１掛止部
Ｐ２  第２掛止部                        Ｓ  切替手段
ａ，ｂ，ｄ，ｅ，ｇ，ｈ  平面            ｃ，ｆ  斜面
１  機構ユニット                        １Ａ  基体
１Ｂ  蓋体                              １Ｃ，１Ｄ  ばね掛け部
１Ｅ  ダンパー収容部                    １Ｆ  上壁下面
１Ｇ  下壁上面                          １Ｈ  駆動ピン挿通孔
１Ｉ  通孔                              １Ｊ  螺孔
１Ｋ  取付孔                            ２  スライダー
２Ａ  第１水平支軸                      ２Ｂ  第２水平支軸
２Ｃ  ばね掛け部                        ２Ｄ  係合溝
２Ｅ  当止面                            ２Ｆ  上面
２Ｇ  下面                              ３  第１揺動部材
３Ａ  軸孔                              ３Ｂ，３Ｃ  掛止体
３Ｄ  第１被駆動面                      ３Ｅ  第２被駆動面
４  第２揺動部材                        ４Ａ  軸孔
４Ｂ  支軸                              ４Ｃ  掛止ピン支持孔
４Ｄ  係合凹部                          ４Ｅ  鉤状係合部
４Ｆ  被駆動面                          ４Ｇ  駆動面
５  第１弾性部材                        ５Ａ，５Ｂ  端末
６  ダンパー                            ６Ａ  シリンダー
６Ｂ  ピストンロッド                    ６Ｃ  係合溝
７  Ｅリング                            ８  第２弾性部材
８Ａ，８Ｂ  端末                        ９  掛止ピン（掛止具）
９Ａ  基端部                            ９Ｂ  遊端部
１０  ガイド溝                          １０Ａ，１０Ｂ，１０Ｃ，１０Ｄ  段部
１０Ｅ，１０Ｆ、１０Ｇ，１０Ｈ  傾斜壁部
１１  ばね受け                          １１Ａ  係合孔
１１Ｂ  ばね掛け部                      １２  ピンカバー
１２Ａ  係合凸部                        １３Ａ，１３Ｂ  摺動溝（ガイド部）
１４Ａ，１４Ｂ  掛止溝（掛止部）        １５  取付ねじ
２１  機構ユニット                      ２１Ａ  基体
２１Ｂ  蓋体                            ２１Ｃ，２１Ｄ  ばね掛けピン
２１Ｅ  ダンパー収容部                  ２１Ｆ  上壁下面
２１Ｇ  下壁上面                        ２１Ｈ  駆動ピン挿通孔
２１Ｉ  通孔                            ２１Ｊ  螺孔
２１Ｋ，２１Ｌ  取付孔                  ２２  第１スライダー
２２Ａ  第１水平支軸                    ２２Ｂ  第２水平支軸
２２Ｃ  第３水平支軸                    ２２Ｄ  係合溝
２２Ｅ  当止面                          ２２Ｆ  上面
２２Ｇ  下面                            ２２Ｈ  突条
２２Ｉ  ばね掛けピン                    ２２Ｊ  スリット
２２Ｋ  軸孔                            ２２Ｌ  係合凹部
２２Ｍ  ばね収容凹部                    ２３  第１揺動部材
２３Ａ  軸孔                            ２３Ｂ  第１掛止体
２３Ｃ  ばね掛止ピン                    ２３Ｄ  被駆動面
２３Ｅ  連結ピン（回動連結部）          ２４  第２揺動部材
２４Ａ  軸孔                            ２４Ｂ  第２掛止体
２４Ｃ  摺動ピン                        ２４Ｄ  当止面
２４Ｅ  鉤状係合部                      ２４Ｆ  被駆動面
２４Ｇ  駆動面                          ２５  第１弾性部材
２５Ａ，２５Ｂ  端末                    ２６  ダンパー
２６Ａ  シリンダー                      ２６Ｂ  ピストンロッド
２６Ｃ  係合溝                          ２７  Ｅリング
２８  第２弾性部材                      ２８Ａ，２８Ｂ  端末
２９  掛止具                            ３０  連結片
３０Ａ，３０Ｂ  通孔                    ３１  掛止ロッド
３２  第２スライダー                    ３２Ａ  凹条
３２Ｂ  摺動溝（ガイド部）              ３２Ｃ  掛止溝（掛止部）
３２Ｄ  軸孔                            ３２Ｅ  ばね掛止ピン
３２Ｆ  押圧面                          ３３  摺動溝（ガイド部）
３４  掛止溝（掛止部）                  ３５  連結部材
３５Ａ  軸孔                            ３５Ｂ  長孔（回動連結部）
３５Ｃ  被駆動面                        ３６  シャッター
３６Ａ，３６Ｂ  支軸                    ３６Ｃ  突出部
３６Ｄ  ばね受け部                      ３７  圧縮コイルばね
３８  連結ピン                          ３９  カバー
３９Ａ  軸孔                            ３９Ｂ  係合凸部
４０  ガイド溝                          ４１  周回溝
【図１】
2013073489.tif 000003
【図２】
2013073489.tif 000004
【図３】
2013073489.tif 000005
【図４】
2013073489.tif 000006
【図５】
2013073489.tif 000007
【図６】
2013073489.tif 000008
【図７】
2013073489.tif 000009
【図８】
2013073489.tif 000010
【図９】
2013073489.tif 000011
【図１０】
2013073489.tif 000012
【図１１】
2013073489.tif 000013
【図１２】
2013073489.tif 000014
【図１３】
2013073489.tif 000015
【図１４】
2013073489.tif 000016
【図１５】
2013073489.tif 000017
【図１６】
2013073489.tif 000018
【図１７】
2013073489.tif 000019
【図１８】
2013073489.tif 000020
【国際調査報告】
2013073489.tif 000021
2013073489.tif 000022